(57)【要約】丸穴手縫い針の針穴に糸を通すことができる丸穴手縫い針用糸通し器具を提供することにある。【課題】丸穴手縫い糸通し器具１はハウジング２を有する。ハウジング２は、その一端側上部に丸穴手縫い針９０を針穴９２を下にして受容する丸穴手縫い針挿入孔５と、丸穴手縫い針挿入孔５に受容された丸穴手縫い針９０の針穴９２の前後を移動する糸押し芯金２１ｂと、丸穴手縫い針挿入孔５とその底部近傍で交差し且つハウジング２の長手方向に延びる長手方向糸通し通路５０と、丸穴手縫い針挿入孔５の手前に設けられ、丸穴手縫い針挿入孔５の直近において糸通し通路５０に達している鉛直方向下向きの糸挿入スリット６とを有する。糸通し通路５０は、糸挿入スリット６に関してハウジング２の中央寄りにおいて下方に開口した鉛直溝部５０ａと、糸挿入スリット６と丸穴手縫い針挿入孔５との間においてそのスリット間隔Ｉが中央部において糸押し芯金２１ｂの高さ以内であり、且つ針穴９２の直径より若干小さく、ハウジング２の幅方向両側に向かって大きくなっている水平スリット部５０ｂと、糸挿入スリット６に関してハウジング２の一端側において外部に開口した糸通し孔５０ｃとから成る。【選択図】    図２
2005124621.tif 000002
【特許請求の範囲】
【請求項１】
丸穴手縫い針をその針穴を下にして受容する針受容部と、
前記受容された丸穴手縫い針の針穴の前後を移動する糸押し芯金と、
前記受容された丸穴手縫い針の針穴の手前にあって、当該針穴に通す糸を扁平にすべくスリット間隔が前記糸押し芯金の高さ以内である水平スリットとを備えることを特徴とする丸穴手縫い針糸通し器具。
【請求項２】
丸穴手縫い針をその針穴を下にして受容する針受容部と、前記受容された丸穴手縫い針の針穴に対向するように前記針受容部手前に設けられると共に、当該針穴に通す糸を扁平にすべくスリット間隔が前記針穴の直径より小さい水平スリットと、前記水平スリット内で押しつぶされた糸を前記針穴に向かって押す糸押し芯金とを備えることを特徴とする丸穴手縫い針糸通し器具。
【請求項３】
前記針受容部は、前記水平スリットと連通する鉛直スリットを前記水平スリット側に備えることを特徴とする請求項１又は２記載の丸穴手縫い針糸通し器具。
【請求項４】
前記水平スリットは、その両側に糸の逃げ部を備えることを特徴とする請求項１乃至３のいずれか１項に記載の丸穴手縫い針糸通し器具。
【発明の詳細な説明】
【技術分野】
【０００１】
本発明は、丸穴手縫い針糸通し器具に関する。
【背景技術】
【０００２】
手縫い針には、後端の針穴が長穴のものと、丸穴のものとがある。長穴手縫い針８０（図８）は、扁平に成形された後端８１に長穴の針穴８２があけられており、この針穴８２は、丸穴手縫い針９０（図９）の針穴９２の丸穴の大きさと比べて大きいので、針穴８２への糸通しを容易に行うことができるという利点があるのに対して、長穴手縫い針８０の太さと同程度の太さの糸を針穴８２に通すことができるため、針穴８２を通った糸８３が長穴手縫い針８０の太さの範囲からはみ出して、長穴手縫い針８０が布を通った後の穴が大きくなることがあるという欠点がある。この欠点は、特に和裁のときに問題となる。
【０００３】
そこで、和裁には、図９に示す丸穴手縫い針９０が使用されている。この丸穴手縫い針９０は、後端９１の厚さを薄くすると共に幅も小さくした上で、針穴９２も丸穴手縫い針９０の太さの半分以下の太さの糸を通す丸穴としている。この丸穴手縫い針９０によれば、針穴９２を通った糸９３が丸穴手縫い針９０の太さの範囲内に収まるので、丸穴手縫い針９０が布を通った後の穴を目立たなくすることができる。
【０００４】
このような手縫い針用糸通し器具は、近年多くの機種が開発されている。
【０００５】
例えば、第１の従来例としては、糸を引っ掛けたフックで糸を針穴に通して押し出すことにより糸を針穴に通すものがある（例えば、特許文献１）。また、第２の従来例としては、予め上向きのフックを針穴に通しておいた後、このフックに糸を引っ掛けてからフックを針穴から引き抜くことにより糸を針穴に通すものがある（例えば特許文献２，３）。
【特許文献１】特開２００３−５３０８３号公報
【特許文献２】米国特許第２，３３８，１５９号公報
【特許文献３】米国特許第２，５０７，３７０号公報
【発明の開示】
【発明が解決しようとする課題】
【０００６】
しかしながら、従来の手縫い針用糸通し器具は、針穴が長穴である長穴手縫い針に対応するものであり、針穴の大きさが長穴手縫い針に比べて小さい丸穴手縫い針には使用することができない。
【０００７】
本発明の目的は、丸穴手縫い針の針穴に糸を通すことができる丸穴手縫い針用糸通し器具を提供することにある。
【課題を解決するための手段】
【０００８】
上記目的を達成するために、請求項１記載の糸通し器具は、丸穴手縫い針をその針穴を下にして受容する針受容部と、前記受容された丸穴手縫い針の針穴の前後を移動する糸押し芯金と、前記受容された丸穴手縫い針の針穴の手前にあって、当該針穴に通す糸を扁平にすべくスリット間隔が前記糸押し芯金の高さ以内である水平スリットとを備えることを特徴とする。
【０００９】
上記目的を達成するために、請求項２記載の糸通し器具は、丸穴手縫い針をその針穴を下にして受容する針受容部と、前記受容された丸穴手縫い針の針穴に対向するように前記針受容部手前に設けられると共に、当該針穴に通す糸を扁平にすべくスリット間隔が前記針穴の直径より小さい水平スリットと、前記水平スリット内に押し込まれた糸を前記針穴に向かって押す糸押し芯金とを備えることを特徴とする。
【００１０】
請求項３記載の糸通し器具は、請求項１又は２記載の糸通し器具において、前記針受容部は、前記水平スリットと連通する鉛直スリットを前記水平スリット側に備えることを特徴とする。
【００１１】
請求項４記載の糸通し器具は、請求項１乃至３のいずれか１項に記載の糸通し器具において、前記水平スリットは、その両側に糸の逃げ部を備えることを特徴とする。
【発明の効果】
【００１２】
請求項１記載の糸通し器具によれば、スリット間隔が針受容部に受容された丸穴手縫い針の針穴の前後を移動する糸押し芯金の高さ以内である水平スリットが針受容部に受容された丸穴手縫い針の針穴の手前に設けられているので、糸押し芯金により糸の全体を係止でき、もって丸穴手縫い針の針穴に糸を通すことができる。
【００１３】
請求項２記載の糸通し器具によれば、針受容部に受容された丸穴手縫い針の針穴に対向するように針受容部手前にスリット間隔が針穴の直径より小さい水平スリットが設けられているので、この針穴に通す糸を水平スリットが糸を丸穴手縫い針の針穴の直径より薄くなるように扁平にすることができ、もって丸穴手縫い針の針穴に糸を通すことができる。
【００１４】
請求項３記載の糸通し器具によれば、針受容部は、水平スリットと連通する鉛直スリットを備えるので、針穴に通された糸を糸通し器具から外すことができる。
【００１５】
請求項４記載の糸通し器具によれば、水平スリットは、その両側に糸の逃げ部を備えるので、水平スリット内で生じる糸の静止摩擦力を小さくすることができ、糸押し芯金が糸を押すときにおける糸押し芯金の破損等することを防止することができる。
【発明を実施するための最良の形態】
【００１６】
以下、本発明の実施の形態を図面を用いて詳説する。
【００１７】
図１は、本発明の実施の形態に係る丸穴手縫い針用糸通し器具１は、水平方向に長尺状であると共に、鉛直面内で平たい箱形ハウジング２を備える。このハウジング２は、合成樹脂、例えばポリアセタール等の熱可塑性樹脂等で形成されている。なお、以下の記述中で、ハウジング２内の設けられる各種パーツの材料は特別の記載がない限り、ハウジング２と同様の材料で形成されている。
【００１８】
一方、丸穴手縫い針９０は、後端９１に丸穴の針穴９２を有し、長穴手縫い針８０は、後端８１に長穴の針穴８２を有する。ハウジング２の上部中央には、後述するスライド部４が装着されており、ハウジング２の一端側（図１の左側）上部には、丸穴手縫い針９０を受容する丸穴手縫い針挿入孔５（針受容部）、及び糸９３が挿入される糸挿入スリット６が、ハウジング２の他端側（図１の右側）上部には、長穴手縫い針８０を受容する長穴手縫い針挿入孔７、及び糸８３が挿入される糸挿入スリット８が夫々形成されている。また、糸挿入スリット８とスライド部４の間においてハウジング２の上端に糸切カッター３が形成されている。
【００１９】
図２は、初期状態における図１の丸穴手縫い糸通し器具１の断面図である。
【００２０】
以下の説明では、図１を適宜参照する。
【００２１】
図２において、ハウジング２は、その一端側（図２の左側）上部に鉛直方向下向きの丸穴手縫い針挿入孔５を有する。この丸穴手縫い針挿入孔５は、ロート状の入り口５ａを有し、丸穴手縫い針９０を針穴９２を下にして受容する（図１）。
【００２２】
ハウジング２は、また、丸穴手縫い針挿入孔５とその底部近傍で交差し且つハウジング２の長手方向に延びる長手方向糸通し通路５０を有する。この糸通し通路５０は、中を後述する糸押し芯金２１ｂが通るように円弧状であり。その詳細は図３を用いて後述する。
【００２３】
丸穴手縫い針挿入孔５の底部は、丸穴手縫い針９０をその針穴９２を下にして受容したときに、針穴９２が糸通し通路５０と同軸的に配向するように丸穴手縫い針９０を回転させるべくテーパ状に形成されている。
【００２４】
ハウジング２は、その一端側において、丸穴手縫い針挿入孔５に関してハウジング２の中央寄りに隣接して鉛直方向下向きの糸挿入スリット６を有し、この糸挿入スリット６は、丸穴手縫い針挿入孔５の直近において糸通し通路５０に達している。糸挿入スリット６は、糸９３の太さ以上のスリット間隔を有し、丸穴手縫い針９０の針穴９２に通す糸９３をハウジング２の幅方向に受容する。
【００２５】
糸通し通路５０は、図３に示すように、糸挿入スリット６に関してハウジング２の中央寄りにおいて下方に開口した鉛直溝部５０ａと、糸挿入スリット６と丸穴手縫い針挿入孔５との間においてハウジング２の幅方向両側に開口した水平スリット部５０ｂと、糸挿入スリット６に関してハウジング２の一端側において外部に開口した糸通し孔５０ｃとから成る。
【００２６】
水平スリット５０ｂは、図３（ｃ）で糸の逃げ部５ｃとして明瞭に示すように、そのスリット間隔Ｉが中央部において糸押し芯金２１ｂの高さ以内であり、且つ針穴９２の直径より若干小さく、ハウジング２の幅方向両側に向かって大きくなっている。水平スリット５０ｂを規定する上面はハウジング２の幅方向両側に向かって傾斜θ１をなし、底面もハウジング２の幅方向両側に向かって若干の傾斜θ２をなす。スリット間隔Ｉは、例えば０．３〜０．３５ｍｍ、水平スリット５０ｂの長さＬは２ｍｍ、傾斜θ１は４５度、傾斜θ２は１０度である。
【００２７】
水平スリット５０ｂは、使用者が糸挿入スリット６においてハウジング２の幅方向に受容された糸９３を水平スリット５０ｂ内に押し込んだときに、糸押し芯金２１ｂの高さ以内となるように扁平に押しつぶす役目を果たす。これにより、糸押し芯金２１ｂにより糸９３の全体を係止でき、もって丸穴手縫い針９０の針穴９２に糸９３を通すことができる。また、水平スリット５０ｂは、糸９３を針穴９２の直径より若干薄くなるように扁平に押しつぶす役目も果たす。これにより、針穴９２に糸９３を確実に通すことができる。
【００２８】
水平スリット５０ｂは、その両側に糸の逃げ部５ｃを備えるので、水平スリット５０ｂ内で生じる糸９３の静止摩擦力を小さくすることができ、後述する糸押し芯金２１ｂで糸９３を押すときにおける糸押し芯金２１ｂの破損等を防止することができる。
【００２９】
また、丸穴手縫い針挿入孔５を規定するハウジング２の他端側壁には、図４に示すように、水平スリット５０ｂと連通する鉛直な糸抜きスリット５ｂ（鉛直スリット）が形成されており、この糸抜きスリット５ｂは、針穴９２に挿入された糸９３を当該丸穴手縫い針糸通し器具１から抜きとる役目を果たす。糸抜きスリット５ｂのスリット間隔はほぼ針穴９２程度である。
【００３０】
ハウジング２は、その他端側（図２の右側）上部に鉛直方向下向きの長穴手縫い針挿入孔７を有する。この長穴手縫い針挿入孔７は、ロート状の入り口７ａを有し、長穴手縫い針８０を針穴８２を下にして受容する（図１）。
【００３１】
ハウジング２は、また、長穴手縫い針挿入孔７とその底部近傍で交差し且つハウジング２の長手方向に延びる長手方向糸通し通路６０を有する。この糸通し通路６０は、後述するように、中を後述する糸通し芯金２３ｂが通るように円弧状である。
【００３２】
長穴手縫い針挿入孔７の底部は、長穴手縫い針８０をその針穴８２を下にして受容したときに、針穴８２が糸通し通路６０と同軸的に配向するように長穴手縫い針８０を回転させるべくテーパ状に形成されている。
【００３３】
また、ハウジング２は、その他端側において、長穴手縫い針挿入孔７に関してハウジング２の一端側に隣接して鉛直方向下向きの糸挿入スリット８を有し、長穴手縫い針挿入孔７の直近において糸通し孔６０に達している。糸挿入スリット８は、長穴手縫い針８０の針穴８２に通す糸８３をハウジング２の幅方向に受容する。
【００３４】
糸通し通路６０は、図２に示すように、糸挿入スリット８に関してハウジング２の中央寄りにおいて下方に開口した鉛直溝部６０ａと、糸挿入スリット８と長穴手縫い針挿入孔７との間に設けられた糸通しスペース６０ｂと、糸挿入スリット８に関してハウジング２の他端側において外部に開口した糸通し孔６０ｃとから成る。
【００３５】
また、長穴手縫い針挿入孔７を規定するハウジング２の一端側壁には、図５に示すように、糸通しスペース６０ｂと連通する鉛直方向の糸抜きスリット８ｂが形成されており、この糸抜きスリット８ｂは、針穴８２に挿入された糸８３を当該丸穴手縫い針糸通し器具１から抜きとる役目を果たす。
【００３６】
ハウジング２は、その長手方向中央部の内部に、ハウジング２の高さ方向に延びる四角筒部１０を有する。四角筒部１０は、ハウジング２の頂部から底部近傍に達し、中に断面長方形の空洞部１１を有する。また、四角筒部１０は、ハウジング２の他端側の側壁部に長手方向切り欠き部１２を有する。
【００３７】
四角筒部１０の空洞部１１には、ハウジング２の長手方向に関して離間した２本の足部を有するスライド部４が配されている。スライド部４は、ハウジング２の内側面に設けられた適宜なガイドに案内され且つハウジング２の高さ方向に摺動自在である。
【００３８】
スライド部４は、上端部がハウジング２から突出しており、ハウジング２の他端側の足部に、四角筒部１０の長手方向切り欠き部１２に係合する突起４ａを有する。これにより、スライド部４は、四角筒部１０の長手方向の摺動範囲が規制される。また、突起４ａとハウジング２の頂部近傍にあるピン２ａとの間には、引張りバネ１４が掛け渡されており、これにより、スライド部４は上方に付勢され、突起部４ａは、長手方向切り欠き部１２の上端に当接している。
【００３９】
スライド部４は、ハウジング２の一端側足部の内部にストッパ部７０を有する。ストッパ部７０は、下端がハウジング２の一端側においてスライド部４の足部の下端に螺着され、スライド部４の長手方向上方に延びる弾性部７０ａと、この弾性部７０ａの上端に設けられ、ハウジング２の他端側に突出した突起部７０ｂとから成る。カム部７０ｃは、突起部７０ｂの図２中向こう側に設けられている。
【００４０】
ハウジング２の他端側においてスライド部４の内壁と弾性部７０ａとの間には、逆Ｔ字状のスライド部１５の垂直部１５ａが嵌入されている。スライド部１５は、ハウジング２の内側面に設けられた適宜なガイドに案内され且つハウジング２の高さ方向に摺動自在である。
【００４１】
スライド部１５の水平部１５ｂの中央部下面には突起１５ｃが設けられており、この突起１５ｃとハウジング２の底面との間には圧縮バネ１６が配されている。この圧縮バネ１６の作用により、スライド部１５はスライド部４の長手方向上方に付勢され、スライド部１５の垂直部１５ａの上端がストッパ部７０の突起部７０ｂに当接している。
【００４２】
一方、ハウジング２の後壁の中位には、スライド部４のカム部７０ｃと係合するピン２ｂが設けられている。図２に示す初期位置におけるスライド部１５の垂直部１５ａの上端からのピン２ｂの距離は、四角筒部１０の長手方向切り欠き部１２の長さや、スライド部１５の水平部１５ｂとハウジング２の底面との間隔より短い。
【００４３】
スライド部１５の水平部１５ｂには、ハウジング２の一端側において、アーム１７の一端がピン１５ｄを介して回動自在に取り付けられている。アーム１７の一端は、折り曲げられてアーム１７の図２の反時計回りへの回動を規制するストッパ１７ａを構成し、アーム１７の他端は、長手方向スリット１７ｂを有している。ピン１５ｄには、アーム１７を図２の反時計回りに付勢する戻しバネ１５ｆが設けられている。スライド部４が押された場合において、糸押し芯金２１ｂのハウジング２の一端側への移動が妨害されたときに、戻しバネ１５ｆの弾性力に抗してアーム１７が内側に回動することにより、糸押し芯金２１ｂに加えられる負荷を低減して糸押し芯金２１ｂが曲がったり折れたりして破損することを防止することができる。
【００４４】
スライド部１５の水平部１５ｂには、ハウジング２の他端側において、アーム１８の一端がピン１５ｅを介して回動自在に取り付けられている。アーム１８の一端は、折り曲げられてアーム１８の図２の時計回りへの回動を規制するストッパ１８ａを構成し、アーム１８の他端は、長手方向スリット１８ｂを有する。ピン１５ｅには、アーム１８を図２の時計回りに付勢する戻しバネ１５ｇが設けられている。スライド部４が押された場合において、糸押し芯金２３ｂのハウジング２の他端側への移動が妨害されたときに、戻しバネ１５ｇの弾性力に抗してアーム１８が内側に回動することにより、糸押し芯金２３ｂに加えられる負荷を低減して糸押し芯金２３ｂが曲がったり折れたりして破損することを防止することができる。
【００４５】
ハウジング２は、さらに、その一端側下部の軸２ｃを介して回動自在に取り付けられた揺動アーム２１と、他端側下部の軸２ｄを介して回動自在に取り付けらえた揺動アーム２３とを備える。揺動アーム２１は、アーム１７のスリット１７ｂに係合するピン２１ａを有し、揺動アーム２３は、アーム１８のスリット１８ｂに係合するピン２３ａを有する。これにより、スライド１５の上下移動に応じてアーム１７，１８を介して揺動アーム２０，２１は揺動する。
【００４６】
揺動アーム２１の上端には、糸押し芯金２１ｂが螺着されており、この糸押し芯金２１ｂは、糸９３を針穴９２に通すために針穴９２の前後を移動すべく、糸通し通路５０内でハウジング２の一端側に延びると共に、揺動アーム２１の実質的長さを半径とする円弧状となっている。糸通し通路５０と糸押し芯金２１ｂは曲率が同一である。
【００４７】
糸押し芯金２１ｂは、針穴９２の直径より高さが低く且つ厚さが薄い金属板であり、その材料は、例えばステンレス鋼製である。糸押し芯金２１ｂの先端は、ハウジング２の幅方向に配された糸９３を跨ぐように上下二又状である（図３（ｂ））。これにより、上下二又状の糸押し芯金２１ｂと水平スリット５０ｂとの関係を直交状態にすることができ、もって水平スリット５０ｂ内で押しつぶされた糸９３を効率よく針穴９２に通すことができる。
【００４８】
揺動アーム２３の上端には、糸押し芯金２３ｂが螺着されており、この糸押し芯金２３ｂは、糸８３を針穴８２に通すために針穴９２の前後を移動すべく、糸通し通路６０内でハウジング２の他端側に延びると共に、揺動アーム２３の実質的長さを半径とする円弧状となっている。糸通し通路６０と糸押し芯金２３ｂは曲率が同一である。
【００４９】
糸押し芯金２３ｂは、針穴８２の長さより高さが低く且つ針穴８２の幅より厚さが薄い金属板であり、その材料としては、例えばステンレス鋼製である。糸押し芯金２３ｂの先端は、ハウジング２の幅方向に配された糸８３を跨ぐように上下二又状である（図２）。
【００５０】
以下図１の丸穴用手縫い針糸通し器具１の動作を説明する。
【００５１】
（１）  初期状態（図２）
まず、図２の初期状態において、丸穴手縫い針９０をその針穴９２を下にして丸穴手縫い針挿入孔５に挿入すると、丸穴手縫い針９０は、針穴９２が糸通し通路５０と同軸になるように回転する。
【００５２】
次いで、糸９３を糸挿入スリット６に挿入すると、糸９３はハウジング２の幅方向に配向された上で、水平スリット５０ｂで糸押し芯金２１ｂの高さ以内となるように扁平に押しつぶされた状態で保持される。
【００５３】
（２）糸通し状態（図３，図６）
図２の初期状態において、スライド部４が上から押されると（図２のＡ方向）、スライド部４が下方にスライドし、同時に、突起７０ｂに係合したスライド部１５、ひいてはアーム１７も下方に移動する。これに伴い、アーム１７の長手方向スリット１７ｂにピン２１ａが係合した揺動アーム２１が図２中反時計回りに回動して、糸押し芯金２１ｂが糸通し通路５０内をハウジング２の一端側に向かって移動する（図３）。これにより、水平スリット５０ｂに保持された糸９３（図６において不図示）を係止して糸押し芯金２１ｂの先端が針穴９２（図６において不図示）を通過することにより、糸９３を針穴９２に通す。
【００５４】
糸押し芯金２１ｂのハウジング２の一端側への移動が妨害されたときは、アーム１７が、戻しバネ１５ｆの弾性力に抗して内側に回動することにより、糸押し芯金２１ｂに加えられる負荷を低減して糸押し芯金２１ｂが曲がったり折れたりして破損することを防止することができる。
【００５５】
（３）糸押し芯金引き抜き状態（図７）
糸通し状態（図６）から、さらに、スライド部４を下方に押すと、押し下げられたスライド４に設けられたストッパ部７０のカム部７０ｃがハウジング２のピン２ａに当接して弾性部７０ａをハウジング２の一端側に撓ませ、突起部７０ｂがスライド部１５の垂直部１５ａから外れる。これにより、スライド部１５が圧縮バネ１６の作用により上方に移動し、これに伴い、アーム１７の長手方向スリット１７ｂにピン２１ａが係合した揺動アーム２１が図２中時計回りに回動して、糸押し芯金２１ｂが糸通し通路５０内をハウジング２の他端側に移動して、針穴９２（図７において不図示）から引き抜かれる（図７）。この際、糸通し状態において、針穴９２に通された糸９３は、糸押し芯金２１ｂの移動に伴うことなく針穴９２に通されたままの状態で残る。
【００５６】
スライド部１５の上方への移動は、ピン２１ａがアーム１７の長手方向スリット１７ａの下端に当接するまで行われ、次いで、スライド部４の押圧をやめると、引っ張りバネ１４の作用によりスライド部４が上方に移動して、図３の初期状態に戻る。
【００５７】
以上の説明は、丸穴手縫い針挿入孔５に挿入された丸穴手縫い針９０の針穴９２に糸９３を通す場合に着目して行ったが、長穴手縫い針挿入孔７に挿入された長穴手縫い針８０の針穴８２に糸８３を通す場合も同様である。但し、長穴手縫い針挿入孔７の場合は、糸通しスペース６０ｂが、水平スリット５０ｂと異なり、糸９３を押しつぶす役目を持たず、初期状態において、糸９３は糸通し通路６０の先端部分に配される点が異なる。
【００５８】
本発明の実施の形態によれば、以下の効果を奏することができる。
【００５９】
１．スリット間隔が丸穴手縫い挿入孔５に受容された挿入された丸穴手縫い針９０の針穴９２の前後を移動する糸押し芯金２１ｂの高さ以内である水平スリット５０ｂがその針穴９２の手前に設けられているので、糸押し芯金２１ｂにより糸９３の全体を係止でき、もって針穴９２に糸９３を通すことができる。
【００６０】
２．丸穴手縫い挿入孔５に挿入された丸穴手縫い針９０の針穴９２に対向するように丸穴手縫い挿入孔５に隣接してスリット間隔が針穴９２の直径より小さい水平スリット５０ｂが設けられているので、糸９３が水平スリット５０ｂに押し込まれたときに、水平スリット５０ｂが糸９３を丸穴手縫い針９０の針穴９２の直径より薄くなるように扁平にすることができ、もって丸穴手縫い針９０の針穴９２に糸９３を通すことができる。
【００６１】
２．丸穴手縫い針挿入孔５を規定する壁部が水平スリット５０ｂと連通する鉛直スリット５ｂを備えるので、針穴９２に通された糸９３を糸通し器具１から外すことができる
３．水平スリット５０ｂは、その両側に糸９３の逃げ部５ｃを備えるので、水平スリット５０ｂ内で生じる糸９３の静止摩擦力を小さくすることができ、糸押し芯金２１ｂが糸９３を押すときにおける糸押し芯金２１ｂの破損等を防止することができる。
【００６２】
本実施の形態に係る丸穴手縫い針糸通し器具１は、丸穴手縫い針用の針挿入部と長穴手縫い針用の針挿入部を夫々１つずつ備えているが、丸穴手縫い針用の針挿入部であって、太針用と細針用を夫々１つずつ備えていてもよい。
【図面の簡単な説明】
【００６３】
【図１】本発明の実施の形態に係る丸穴手縫い針糸通し器具の斜視図である。
【図２】初期状態における図１の丸穴手縫い針糸通し器具１の断面図である。
【図３】図１における丸穴手縫い針挿入孔５の底部近傍の拡大図であり、（ａ）は、（ｂ）の線IIIａ−IIIａに沿う断面図であり、（ｂ）は、（ａ）の線IIIｂ−IIIｂに沿う断面図であり、（ｃ）は、（ａ）の線IIIｃ−IIIｃに沿う断面図である。
【図４】図１における丸穴手縫い針９０の針穴９２に糸９３を通す際の原理の概念図である。
【図５】図１における長穴手縫い針８０の針穴８２に糸８３を通す際の原理の概念図である。
【図６】図１の丸穴手縫い針糸通し器具１の糸通し状態を説明する断面図である。
【図７】図１の丸穴手縫い針糸通し器具１の糸押し芯金引き抜き状態を説明する断面図である。
【図８】長穴手縫い針の部分斜視図である。
【図９】丸穴手縫い針の部分斜視図である。
【符号の説明】
【００６４】
１  丸穴手縫い針用糸通し器具
２  ハウジング
４  スライド部
５  丸穴手縫い針挿入孔
６  糸挿入スリット
２１ｂ  糸押し芯金
５０  長手方向糸通し通路
５０ｂ  水平スリット
９０  丸穴手縫い針
９２  針穴
９３  糸
【図１】
2005124621.tif 000003
【図２】
2005124621.tif 000004
【図３】
2005124621.tif 000005
【図４】
2005124621.tif 000006
【図５】
2005124621.tif 000007
【図６】
2005124621.tif 000008
【図７】
2005124621.tif 000009
【図８】
2005124621.tif 000010
【図９】
2005124621.tif 000011